(57)【特許請求の範囲】
【請求項１】
コンピュータから出力される非コンポジット形式の映像信号を入力する入力手段と、
該入力した映像信号を一時的に記憶する記憶手段と、
記憶した映像信号を読み出して、映像を構成する画面をｎ×ｎ（ｎは２以上の整数）に分割した画像の信号として各々取り出すと共に、コンポジット信号に変換して出力する変換出力手段と、
前記変換出力手段からのコンポジット信号を入力し、他のコンポジット信号との間で入れ替えを行なう切換手段と
を備え、該切換手段からの出力を、それぞれテレビ受像機に接続した映像信号変換装置。
【請求項２】
請求項１記載の映像信号変換装置であって、
前記切換手段は、前記コンポジット信号の一つとして、外部からのビデオ信号を入力可能であり、前記テレビ受像機の一つに、当該ビデオ信号に基づく映像を表示し、他のテレビ受像機には、前記変換出力手段から出力された複数のコンポジット信号であって前記切換手段により入れ替えられた信号を表示する
映像信号変換装置。
【発明の詳細な説明】
【０００１】
【発明の属する技術分野】
本発明は、コンピュータから出力される非コンポジット形式の映像信号を変換して出力する映像信号変換装置に関する。
【０００２】
【従来の技術】
従来、この種の映像信号変換装置としては、コンピュータからＲＧＢの形式で出力される映像信号をコンポジット信号に変換し、通常のテレビ受像器で受信可能にするものが知られている。テレビ受像器は、小型のものから大型のものまで、広く普及しているので、コンピュータのモニタ画面に表示される映像を、多数にコンピュータ画面を見せようとする場合（プレゼンテーションや教育などの場合）には、こうした映像信号変換装置は有用である。また、一旦コンポジット信号に変換してしまえば、通常のビデオ信号として扱うことができるので、ＶＴＲに記録したりビデオプリンタで印刷したりすることも容易である。
【０００３】
【発明が解決しようとする課題】
しかしながら、従来の映像信号変換装置では、コンピュータから出力される非コンポジット信号をコンポジット信号に変換するに過ぎないので、如何に大型テレビが普及しているとはいえ、数十インチまでであり、これを越えるように大きな映像を表示することは依然困難であるという問題があった。また、映像の一部を他の映像に置き換えるなどの操作は、専用のミキサーが必要となるなど、困難であった。
【０００４】
本発明は、上記問題点を解決するためになされ、コンピュータから非コンポジット信号で出力される映像信号を、コンポジット信号に変換すると共に、容易に大型画面を構成したり、映像の一部を容易に変更した可能な映像信号変換装置を実現することを目的としてなされた。
【０００５】
【課題を解決するための手段およびその作用・効果】
かかる目的を達成するために、本発明の映像信号変換装置は、次の手段を採った。即ち、本発明の映像信号変換装置は、
コンピュータから出力される非コンポジット形式の映像信号を入力する入力手段と、
該入力した映像信号を一時的に記憶する記憶手段と、
記憶した映像信号を読み出して、映像を構成する画面をｎ×ｎ（ｎは２以上の整数）に分割した画像の信号として各々取り出すと共に、コンポジット信号に変換して出力する変換出力手段と、
前記変換出力手段からのコンポジット信号を入力し、他のコンポジット信号との間で入れ替えを行なう切換手段と
を備え、該切換手段からの出力を、それぞれテレビ受像機に接続したことをその要旨とする。
【０００６】
この映像信号変換装置は、コンピュータから非コンポジット形式で出力される映像信号を入力手段により入力し、これを記憶手段に一時的に記憶する。記憶手段を一画面分の映像を記憶する容量を有することも差し支えないが、一走査線に対応したラインバッファ程度の容量を有するものであっても構成することができる。この記憶された映像信号を読み出して、変換出力手段が、映像を構成する画面をｎ×ｎに分割した画像の信号として各々取り出すと共に、これらをコンポジット信号に変換して出力する。即ち、この映像信号変換装置からのコンポジット信号の出力は、画像をｎ×ｎに分割した画面毎になされることになる。したがって、このコンポジット信号をｎ×ｎ台のテレビ受像機に入力すれば、それだけで、直ちにテレビ受像機ｎ×ｎのマルチビジョンが構成される。しかも、映像信号の切換手段を設けているので、このうちの一ないし複数の画像を入れ替えることができる。また、他の映像信号を一部のテレビ受像機に出力してその映像を表示させたりすることも可能である。
【０００７】
【発明の他の態様】
本発明の他の態様としては、例えば変換出力手段が行なう画像の分割数ｎ×ｎを設定可能な設定手段を設け、その設定に応じて、２×２や３×３など、画面の分割数を変更可能にする構成など、種々の構成を考えることができる。また、非コンポジット形式の映像信号としては、ＲＧＢ信号のほか、ＣＹＭ形式の信号などがある。
【０００８】
【発明の実施の形態】
次に、本発明に係る映像信号変換装置の実施の形態を実施例を挙げて説明する。図１は、本発明の一実施例としての映像信号変換装置１０とコンピュータ２０およびテレビ受像機ＴＶｍｎとの接続関係を示す説明図、図２はこの映像信号変換装置１０の概略構成図である。図１に示すように、コンピュータ２０からのそのモニタ２２に表示されているのと同じ映像がＲＧＢ形式で映像出力コネクタＣＮ１に出力されており、映像信号変換装置１０は、この信号をケーブル２４を介して受け取り、実施例では、３×３＝９台のテレビ受像機ＴＶ11ないしＴＶ33にコンポジット信号として出力する。このために、映像信号変換装置１０には、ケーブル２４が接続される入力コネクタＣＮ２のほか、出力用のピンコネクタ１１ないし１９が設けられている。
【０００９】
このピンコネクタ１１ないし１９には、ビデオケーブルが接続され、各テレビ受像機ＴＶ１１ないし３３に、コンポジット形式のビデオ信号を出力する。したがって、１台の映像信号変換装置１０で９台までのテレビ受像機に映像を表示することができる。
【００１０】
映像信号変換装置１０は、図２に示すように、アナログＲＧＢ形式の映像信号を入力し画素毎にディジタル信号として出力するＲＧＢ信号入力回路５０を備える。このＲＧＢ信号入力回路５０は、入力したアナログＲＧＢ信号をその水平同期信号ＨＳおよび垂直同期信号ＶＳに基づいて所定のサンプリングタイムでサンプリングし、フレームメモリ５２に展開するＰＬＬ回路である。
【００１１】
映像信号変換装置１０には、このほか、ＲＧＢ信号入力回路におけるサンプリングタイムの設定や必要に応じてフレームメモリ５２との間でデータのやり取りを行なうためのＣＰＵ５４や、プログラムなどを記憶したＲＯＭ５５、ワークメモリであるＲＡＭ５６なども設けられているが、ＲＧＢ信号のサンプリングとフレームメモリ５２への転送は、ＲＧＢ信号入力回路５０により行なわれる。サンプリングクロックＣＬＫ１は、ＲＧＢ形式の映像信号の一水平同期信号期間中に含まれるデータの数により定まる。ＲＧＢ信号入力回路５０は、そのサンプリングクロックＣＬＫ１を、フレームメモリ５２の一走査分のデータ数に対応した周波数にロックしており、各走査線ごとに同じ数の画素分のデータを切り出し、フレームメモリ５２に転送する。フレームメモリ５２は、デュアルポートメモリであり、ＲＧＢ信号入力回路５０から出力されるパラレルデータを、所定のアドレスから順次サイクリックに書き込む書込回路５８を備える。また、映像信号変換装置１０には、これらの各回路を接続するバス５９、フレームメモリ５２の分割された領域毎にデータを読み出すと共にコンポジット信号に変換する９個の読出変換回路６１ないし６９、読出変換回路６１ないし６９をコントロールするＣＲＴＣ７０が備えられている。なお、ＲＧＢ信号入力回路５０のサンプリングクロックＣＬＫ１と、読出変換回路６１ないし６９およびＣＲＴＣ７０の動作用クロックＣＬＫ３は、完全に非同期である。
【００１２】
デュアルポートメモリであるフレームメモリ５２に対しては、ＲＧＢ信号入力回路５０側からの書込回路５８を介したデータの書き込みとは独立に、読出変換回路６１ないし６９によるデータの読み出しが可能である。この際、映像信号は、ＲＧＢ信号入力回路５０のクロックＣＬＫ１によってサンプリングされており、サンプリングされたデータは、フレームメモリ５２の所定のアドレスから順次書き込まれている。こうして書き込まれた画像データを、読出変換回路６１ないし６９は、シリアルに読み出し、これをコンポジット信号に変換してゆく。読出変換回路６１ないし６９は、ＣＲＴＣ７０によりその動作が設定されており、テレビ受信機ＴＶmnが必要としているフォーマットに合わせて、データを読み出している。
【００１３】
かかる画像データの読み出しを行なう読出変換回路６１ないし６９について更に説明する。読出変換回路６１ないし６９は、ＣＲＴＣ７０による制御の下、その読出動作を予めプログラミング可能である。ＣＲＴＣ７０から、読出変換回路６１ないし６９の内部のレジスタに所定のアドレスを書き込むと、読出変換回路６１ないし６９は、書き込まれたアドレス範囲のデータを繰り返し読み出す。読出変換回路６１は、３×３に分割した画面の左上隅の画像Ｐ11を、読出変換回路６２は中央上の画像Ｐ12を、読出変換回路６３は右上隅の画像Ｐ13を、・・・・・、読出変換回路６９は右下隅の画像Ｐ33を、それぞれ読み出す。しかも、各読出変換回路６１ないし６９は、インターレス方式で読み出しを行なうことができる。
【００１４】
この様子を模式的に示したのが、図３である。コンピュータ２０から水平方向１１２０×垂直方向７６０ドットの映像信号が出力されており、これがそのままフレームメモリ５２に書き込まれているとする。この場合、図３に示すように、例えば読出変換回路６１は、画面の左上隅の画像Ｐ11を読み出すが、その読出用クロックＣＬＫ３は、テレビ受信機ＴＶ11の映像信号の周波数に同期しており、水平方向３７３（１１２０／３）ドット×垂直方向２５２（７６０／３）ライン分の映像を再生する。読出変換回路６１ないし６９は、こうして読み出した映像信号をコンポジット信号に変換し、ピンコネクタ１１ないし１９から出力する。ピンコネクタ１１ないし１９から出力されたコンポジット信号は、それぞれテレビ画面一画面分の大きさを有するから、テレビ受信機ＴＶ11ないしＴＶ33には、それぞれ画面Ｐ11ないしＰ33の画像が表示されることになり、テレビ受信機ＴＶ11ないしＴＶ33を図１に示したように、３×３に構成しておければ、９台のテレビ受信機ＴＶ11ないしＴＶ33により、元の映像が構成され、表示されることになる。
【００１５】
なお、読出変換回路６１ないし６９がフレームメモリ５２から読み出すデータのアドレス範囲は、読出変換回路６１ないし６９の内部レジスタに値により変更することができるから、読出変換回路６１ないし６９にバス５９を接続し、内部レジスタの値をＣＰＵ５４から更新可能とすれば、フレームメモリ５２を２×２に分割して出力するといったことも可能となる。なお、コンピュータ２０からの映像信号の解像度が低い場合には、ＣＲＴＣ７０により各読出変換回路６１ないし６９に設定する読み出し用のアドレス範囲が狭くなり、結果的に各テレビ受信機ＴＶに再生される映像は粗くなる。
【００１６】
以上説明した本実施例によれば、コンピュータ２０のモニタ２２に表示されている映像を、極めて容易に大画面に表示することができる。民生用に容易に入手可能な３９インチ程度のテレビ受信機を用いても、１２０インチ近い大きさの表示装置を容易に構成することができるのである。このため、コンピュータ２０の画面を多人数に対して表示することができ、プレゼンテーションや大規模展示などを、簡易に行なうことができる。
【００１７】
以上本発明の一実施例について説明したが、本発明はこの様な実施例になんら限定されるものではなく、本発明の要旨を逸脱しない範囲において種々なる態様で実施し得ることは勿論である。例えば、図４に示すように、映像信号変換装置１０とテレビ受信機ＴＶ11ないしＴＶ33との間に接続切替器１１０を置き、コンピュータ２０のモニタ２２画面の構成を自由に入れ替え可能としても差し支えない。更に、接続切替器１１０では、３×３の画像の一部を、外部からのビデオ入力（例えばビデオテープレコーダからのビデオ信号）に切り替えることもできる。図４に示した例では、ＴＶ11の画像は、ビデオテープレコーダ１００から再生されるビデオ映像が常に表示され、本来画面右下隅の画像Ｐ33が中央右側のテレビ受信機ＴＶ23に表示され、下中央の画像Ｐ32が右下隅のテレビ受信機ＴＶ33に表示されるなど、いくつかの映像が、２２上の位置からはずれて表示される。
【００１８】
かかる構成よれば、コンピュータ２０のモニタ画面を、複数のテレビ受信機に表示するに当たり、その映像の表示位置をテレビ受信機の画面を単位として自由に構成することができる。また、外部の映像をその一部に取り込むことも容易である。従って、マルチスクリーンの表示の自由度を高めることができる。
【００１９】
この接続切替器１１０をコンピュータ２０によって制御可能とし、表示する映像に合わせて、接続を自由に切り替え、映像表示の効果を高める用い方も好適である。図４では、接続の切換は、一対一として示したが、一対多の接続を許すものとすれば、表示する映像に合わせて総てのテレビ受信機に同一の映像を表示したり、いくつかのテレビ受信機に同じ映像を表示すると言った用い方も可能となる。この実施例では、接続切替器１１０は、映像信号変換装置１０と別体の構成であるとして説明したが、接続切替器１１０を映像信号変換装置１０に内蔵した構成も好適である。この場合には、ＣＰＵ５４から接続の切換を制御することが容易となる。
【００２０】
更に、上記実施例では、フレームメモリ５２はデュアルポートメモリとし、画像の読み出しは読出変換回路６１ないし６９により行なうものとしたが、読出範囲等が固定であれば、ディスクリートな回路構成によっても容易に実現することもできる。
【図面の簡単な説明】
【図１】本発明の実施の形態を示す概略構成図である。
【図２】映像信号変換装置１０の内部構成を示すブロック図である。
【図３】映像変換の様子を示す模式図である。
【図４】実施の他の形態を示す説明図である。
【符号の説明】
１０…映像信号変換装置
１１ないし１９…ピンコネクタ
２０…コンピュータ
２２…モニタ
２４…ケーブル
５０…ＲＧＢ信号入力回路
５２…フレームメモリ
５４…ＣＰＵ
５５…ＲＯＭ
５６…ＲＡＭ
５８…書込回路
５９…バス
６１ないし６９…読出変換回路
７０…ＣＲＴＣ
７１…発振器
ＣＮ１…映像出力コネクタ
ＣＮ２…入力コネクタ
ＴＶｍｎ…テレビ受信機
【図１】
0003683644.tif 000002
【図２】
0003683644.tif 000003
【図３】
0003683644.tif 000004
【図４】
0003683644.tif 000005